(57)【要約】【課題】二次電池を収容し、内部圧力の異常上昇時に排気する排気弁を備える密閉容器において、排気弁の固着等による動作不良を未然に防止可能な構成を提供する。【解決手段】密閉容器１は、二次電池５０を収容可能に構成されている。この密閉容器１は、排気弁１１と、サーミスタ出力端子１２と、開放板３５と、を備える。サーミスタ出力端子１２は、二次電池５０の充電に用いられるコネクタ５１を着脱可能である。開放板３５は、サーミスタ出力端子１２にコネクタ５１が取り付けられるのに連動して排気弁１１を開弁させる。【選択図】図１
2019102366.tif 000002
【特許請求の範囲】
【請求項１】
排気弁が取り付けられ、二次電池が収容される密閉容器本体と、
前記二次電池の充電に用いられる接続部材を着脱可能な接続端子と、
前記接続端子に前記接続部材が取り付けられるのに連動して前記排気弁を開弁させる連動部材と、
を備えることを特徴とする密閉容器。
【請求項２】
請求項１に記載の密閉容器であって、
前記連動部材に外力が加えられることにより、前記接続端子に前記接続部材が装着可能な状態になり、
前記連動部材は、前記外力を前記排気弁に伝達することにより、前記排気弁を開弁させることを特徴とする密閉容器。
【請求項３】
請求項２に記載の密閉容器であって、
前記連動部材に外力が加えられることにより、前記接続端子において前記接続部材を装着すべき箇所が外部に露出することを特徴とする密閉容器。
【請求項４】
請求項１から３までの何れか一項に記載の密閉容器であって、
前記連動部材は、回転可能な細長い部材として構成されていることを特徴とする密閉容器。
【請求項５】
請求項４に記載の密閉容器であって、
前記連動部材の長手方向中途部が回転可能に支持され、
前記連動部材の長手方向一端には前記接続端子が配置され、
前記連動部材の長手方向他端には前記排気弁が配置されることを特徴とする密閉容器。
【請求項６】
請求項５に記載の密閉容器であって、
前記連動部材が支持される箇所は、前記排気弁と前記接続端子とを結ぶ仮想線分を２等分する位置よりも、前記排気弁に近いことを特徴とする密閉容器。
【請求項７】
請求項１から６までの何れか一項に記載の密閉容器であって、
前記接続端子から前記接続部材が取り外されると、それに連動して前記排気弁が閉弁することを特徴とする密閉容器。
【請求項８】
請求項７に記載の密閉容器であって、
前記排気弁は、
弁体と、
前記弁体を閉弁方向に付勢する付勢部材と、
を備え、
前記接続端子から前記接続部材が取り外された状態において、前記密閉容器本体の内部圧力が外部圧力よりも所定値以上大きくなると開弁することを特徴とする密閉容器。
【請求項９】
請求項８に記載の密閉容器であって、
前記接続端子に前記接続部材が取り付けられた状態で、前記付勢部材の付勢力によって前記連動部材が前記接続部材を押圧することを特徴とする密閉容器。
【請求項１０】
請求項１から９までの何れか一項に記載の密閉容器であって、
前記接続端子は、内部に収容された温度検出部の検出結果を出力する温度出力端子であることを特徴とする密閉容器。
【請求項１１】
排気弁を備える密閉容器に収容された二次電池の充電方法であって、
前記密閉容器が備える接続端子に、前記二次電池の充電に用いられる接続部材を装着するのに連動して、前記排気弁を強制開弁し、
前記二次電池を充電し、
前記接続部材を前記接続端子から取り外すのに連動して、前記排気弁の強制開弁を解除することを特徴とする二次電池の充電方法。
【発明の詳細な説明】
【技術分野】
【０００１】
本発明は、主として、二次電池を収容可能な密閉容器に関する。
【背景技術】
【０００２】
従来から、二次電池を収容する密閉容器に、安全弁を設けた構造が知られている。安全弁は、密閉容器の内圧が大きく上昇した場合に開弁して、内部の高圧ガスを外部へ放出する。これにより、密閉容器の内部圧力の異常な上昇を防止している。特許文献１及び特許文献２には、この種の構造が開示されている。
【０００３】
特許文献１は、密閉容器と、密閉容器に収容される電池と、密閉容器の穴に挿入された断面Ｔ字型の弁体と、密閉容器と弁体との間に配置されたシール部材と、を備える密閉容器の安全弁機構を開示する。この構成では、密閉容器の内圧が外側圧力より高くなると、弁体が押し上がる。これにより、シール部材と密閉容器との間に一定間隔の隙間が生じる。そして、当該隙間から密閉容器の外側に、密閉容器の内側の流体が放出される。
【０００４】
特許文献２は、水中用機器の周壁の一部と開口部が設けられた蓋とからなる電池収容室と、電気収容室に収容される電池と、当該開口部に配置される可動弁と、蓋と可動弁との間に配置された弾性リングと、電池収容室の周壁のうち開口部の周りに配置された通気非通水性フィルターと、を備える水中用機器のガス抜き弁を開示する。この構成では、特許文献１の構成と同様に、電池収容室の室内圧力が異常に高まると、可動弁が押し上がる。これにより、可動弁と弾性リングとの間に隙間が生じる。そして、当該隙間を通って、室内の気体（ガス）が外部（水中）に放出される。このとき、当該隙間からの水滴の進入は、通気非通水性フィルターによって抑制される。
【先行技術文献】
【特許文献】
【０００５】
【特許文献１】特開２０００−２７４５３９号公報
【特許文献２】実開平６−２８９９１号公報
【発明の概要】
【発明が解決しようとする課題】
【０００６】
特許文献１及び特許文献２の構成では、容器の内部圧力が大きく上昇しない限り弁は閉弁状態を維持し、開弁することがない。従って、弁が閉じた状態で相当の長期間が経過する場合も考えられる。この場合、例えば、弁体に塗布されたグリスが劣化してシール部材が相手材に粘着し易くなったり、シール部材が劣化して固着し易くなったりして、弁の適切な開放動作の妨げになるおそれがあった。
【０００７】
上記の課題は、ユーザが定期的に弁を手作業で強制的に開く作業を行うことで、ある程度解消できると考えられる。しかし、そのような作業を十分な頻度で行うのは煩雑であり、作業を忘れてしまい易い。また、手作業で弁を開いた後に、閉じるのを忘れ、密閉性が得られないまま使用を開始してしまうおそれもある。
【０００８】
本発明は以上の事情に鑑みてされたものであり、その目的は、二次電池を収容し、内部圧力の異常上昇時に排気する排気弁を備える密閉容器において、排気弁の固着等による動作不良を未然に防止可能な構成を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成の密閉容器が提供される。即ち、この密閉容器は、二次電池を収容可能である。この密閉容器は、密閉容器本体と、接続端子と、連動部材と、を備える。前記密閉容器本体には、排気弁が取り付けられ、二次電池が収容される。前記接続端子は、前記二次電池の充電に用いられる接続部材を着脱可能である。前記連動部材は、前記接続端子に前記接続部材が取り付けられるのに連動して前記排気弁を開弁させる。
【００１１】
この構成では、接続部材を接続端子に取り付けて排気弁を開弁しないと、二次電池の充電が行われない。また、充電後に密閉容器を使用するときは、密閉性を得るために、排気弁を閉弁させることになる。従って、二次電池が充電される毎に排気弁が開閉動作を行うことになるので、排気弁の固着等による動作不良を抑制することができる。また、二次電池の充電時に排気弁を確実に開弁させることによって、密閉容器の内部の熱を、排気弁を通じて外部へ容易に逃がすことができる。従って、二次電池の充電時の温度上昇を抑制することができる。
【００１２】
前記の密閉容器においては、以下の構成とすることが好ましい。即ち、前記連動部材に外力が加えられることにより、前記接続端子に前記接続部材が装着可能な状態になる。前記連動部材は、前記外力を前記排気弁に伝達することにより、前記排気弁を開弁させる。
【００１３】
これにより、接続部材を接続端子に装着するために連動部材に力を加えることで、排気弁を開弁させることができる。
【００１４】
前記の密閉容器においては、前記連動部材に外力が加えられることにより、前記接続端子において前記接続部材を装着すべき箇所が外部に露出することが好ましい。
【００１５】
これにより、接続端子の所定の箇所を露出させるために連動部材に力を加えることで、排気弁を開弁させることができる。
【００１６】
前記の密閉容器においては、前記連動部材は、回転可能な細長い部材として構成されていることが好ましい。
【００１７】
これにより、連動部材の簡素な構成を実現することができる。
【００１８】
前記の密閉容器においては、以下の構成とすることが好ましい。即ち、前記連動部材の長手方向中途部が回転可能に支持される。前記連動部材の長手方向一端には前記接続端子が配置される。前記連動部材の長手方向他端には前記排気弁が配置される。
【００１９】
これにより、接続端子と排気弁とが互いに離れた位置にあっても、簡素な構成で、接続端子への接続部材の取付けと、排気弁の開弁と、を連動させることができる。
【００２０】
前記の密閉容器においては、前記連動部材が支持される箇所は、前記排気弁と前記接続端子とを結ぶ仮想線分の長さを２等分する位置よりも、前記排気弁に近いことが好ましい。
【００２１】
これにより、接続端子に接続部材を取り付ける過程で、梃子の原理により、小さな操作力で排気弁を開弁することができる。
【００２２】
前記の密閉容器においては、前記接続端子から前記接続部材が取り外されると、それに連動して前記排気弁が閉弁することが好ましい。
【００２３】
これにより、充電後に排気弁を閉め忘れて密閉性がなくなった状態で使用が開始されるのを防止することができる。
【００２４】
前記の密閉容器においては、以下の構成とすることが好ましい。即ち、前記排気弁は、弁体と、付勢部材と、を備える。前記付勢部材は、前記弁体を閉弁方向に付勢する。前記排気弁は、前記接続端子から前記接続部材が取り外された状態において、前記密閉容器本体の内部圧力が外部圧力よりも所定値以上大きくなると開弁する。
【００２５】
これにより、密閉容器の内部圧力が大きく上昇した場合に開弁する排気弁を、簡素な構成で実現することができる。
【００２６】
前記の密閉容器においては、前記接続端子に前記接続部材が取り付けられた状態で、前記付勢部材の付勢力によって前記連動部材が前記接続部材を押圧することが好ましい。
【００２７】
これにより、接続端子に接続部材が取り付けられたときに、付勢部材の付勢力を利用して、接続部材が接続端子から外れないように保持することができる。
【００２８】
前記の密閉容器においては、前記接続端子は、内部に収容された温度検出部の検出結果を出力する温度出力端子であることが好ましい。
【００２９】
これにより、密閉容器の内部温度の情報を得ることができる。
【００３０】
本発明の第２の観点によれば、排気弁を備える密閉容器に収容される二次電池を充電する、以下のような充電方法が提供される。即ち、前記密閉容器が備える接続端子に、前記二次電池の充電に用いられる接続部材を装着するのに連動して、前記排気弁を強制開弁する。前記二次電池を充電する。前記接続部材を前記接続端子から取り外すのに連動して、前記排気弁の強制開弁を解除する。
【００３１】
これにより、充電作業に伴って排気弁が開閉動作を行うことになるので、排気弁の固着等による動作不良を抑制することができる。更に、排気弁の閉め忘れも防止することができる。また、二次電池の充電時に排気弁を確実に開弁させることによって、密閉容器の内部の熱を、排気弁を通じて外部へ容易に逃がすことができる。従って、二次電池の充電時の温度上昇を抑制することができる。
【図面の簡単な説明】
【００３２】
【図１】本発明の一実施形態に係る密閉容器の斜視図。
【図２】密閉容器の断面図。
【図３】密閉容器の内部圧力が上昇した場合に排気弁が開弁する様子を示す断面図。
【図４】開放板を示す斜視図。
【図５】コネクタの取付けに連動して排気弁が開弁する様子を示す断面図。
【図６】二次電池を収容した密閉容器を巻き網漁に用いる一例を示す図。
【発明を実施するための形態】
【００３３】
次に、図面を参照して本発明の実施の形態を説明する。図１は、本発明の一実施形態に係る密閉容器１の斜視図である。図２は、密閉容器１の断面図である。図３は、密閉容器１の内部圧力が上昇した場合に排気弁１１が開弁する様子を示す断面図である。図４は、開放板３５を示す斜視図である。図５は、コネクタ５１の取付けに連動して排気弁１１が開弁する様子を示す断面図である。
【００３４】
図１に示す密閉容器１は、図示しない電子機器を水中で使用するために用いられる。密閉容器１の内部には、当該電子機器の電源となる二次電池５０が配置されている。二次電池５０としては、例えば、リチウムイオン電池やニッケル水素電池を挙げることができる。電子機器は、二次電池５０とともに密閉容器１に収容されても良いし、密閉容器１とは別の容器に収容されても良い。
【００３５】
密閉容器１は、図１に示すように、密閉容器本体２と、充電端子５と、サーミスタ出力端子（接続端子、温度出力端子）１２と、開放板（連動部材）３５と、備える。
【００３６】
密閉容器本体２は、収容部材３と、蓋４と、を備える。収容部材３は、例えば金属によって中空の細長い円筒状に形成され、その長手方向一端に開放部が形成されている。収容部材３の内部空間には、二次電池５０等が配置される。
【００３７】
蓋４は、例えば合成樹脂によって、円板状に形成されている。蓋４は、収容部材３の開放部を閉鎖するように、収容部材３に固定されている。蓋４は、収容部材３に対して着脱可能に構成されている。これにより、劣化した二次電池５０の交換等、密閉容器１の内部に配置された各種部品のメンテナンスを容易に行うことができる。
【００３８】
図２に示すように、収容部材３と蓋４の間には、リング状のシール部材４３が配置されている。これにより、密閉容器１が水中に投入された場合に、水の外部からの侵入を阻止することができる。
【００３９】
蓋４には、排気孔６と、端子孔７と、が形成されている。排気孔６及び端子孔７は、何れも、円板状の蓋４を厚み方向に貫通する円形の孔として設けられている。
【００４０】
蓋４が容器の外部に露出する面において、排気孔６が形成する開口の周囲には、円板状のボス部９が形成されている。ボス部９は、蓋４の厚み方向で小さく突出するように設けられている。ボス部９の中央部には、排気孔６の端部の開口となるテーパ状の弁座１０が形成されている。ボス部９の外周には環状の溝が形成され、この溝に外側Ｏリング２０が取り付けられている。
【００４１】
排気孔６には、排気弁１１が設けられている。排気弁１１は、前述の弁座１０及び外側Ｏリング２０のほか、弁体１３と、内側Ｏリング１９と、コイルバネ（付勢部材）１７と、バネ受け部材１８と、を備える。
【００４２】
弁体１３は、排気孔６の長手方向に沿って移動可能となるように、蓋４に支持されている。この弁体１３は、水中における使用を想定して、防錆効果が期待できるステンレス製や黄銅製のものであることが好ましい。
【００４３】
弁体１３は、弁棒１４と、フランジ部１５と、外筒部１６と、を備える。
【００４４】
弁棒１４は丸棒状に構成され、排気孔６に差し込まれている。弁棒１４の外径は排気孔６の内径より小さくなっているため、弁棒１４と排気孔６の間を空気が流通することができる。弁棒１４の長手方向一端には、円板状のフランジ部１５が一体的に形成されている。
【００４５】
フランジ部１５は、密閉容器１の外部で、突出状に形成されたボス部９の端面と対面するように配置されている。弁棒１４がフランジ部１５に接続する部分には、弁座１０の形状と対応してテーパ状に形成されたＯリング保持部２１が形成されている。Ｏリング保持部２１の外周には環状の溝が形成され、この溝に内側Ｏリング１９が取り付けられている。
【００４６】
フランジ部１５の縁部には、短い円筒状の外筒部１６が一体的に形成されている。外筒部１６は、弁棒１４の径方向外側に配置されるとともに、ボス部９の外周を覆うように配置されている。ボス部９に装着された外側Ｏリング２０は、外筒部１６の内壁に密着することができる。
【００４７】
弁棒１４において、フランジ部１５が形成される側と反対側の端部には、後述のバネ受け部材１８が取り付けられている。また、弁棒１４が差し込まれる排気孔６は段付き状に形成されており、その段部にバネ受け面６ａが形成されている。
【００４８】
コイルバネ１７は、バネ受け部材１８とバネ受け面６ａとの間に、押し縮められた状態で配置されている。このコイルバネ１７は、排気孔６の内部に差し込まれるとともに、弁棒１４の外周に配置されている。コイルバネ１７は、その弾性力（付勢力）により、バネ受け部材１８を介して、弁体１３を密閉容器１の内側に向けて引き込むように付勢する。
【００４９】
バネ受け部材１８は、蓋４が収容部材３の内部空間に露出する面に排気孔６が形成する開口に配置されている。バネ受け部材１８は概ね円筒状に形成されており、排気孔６にその一部が入り込んだ状態で、弁棒１４に対してネジ結合により固定されている。従って、バネ受け部材１８は、弁体１３とともに、排気孔６の長手方向に沿って移動することができる。
【００５０】
バネ受け部材１８の外周面は適宜の形状で切り欠かれており、この切欠きを通じて、密閉容器１の内部空間と、排気孔６の内部空間と、が接続されている。バネ受け部材１８が排気孔６から出ている部分において、当該バネ受け部材１８には、弁体１３の開弁ストロークを規定するための突起２３が一体的に形成されている。
【００５１】
コイルバネ１７は、弁体１３を密閉容器１の内側に向けて引き込む弾性力を常時作用させている。この結果、密閉容器１の内部圧力が外部圧力以下である場合、又は、内部圧力が外部圧力を上回っていてもその差が所定値未満である場合は、図２に示すように内側Ｏリング１９が弁座１０に接触（密着）し、排気弁１１が閉じられる。
【００５２】
一方、密閉容器１の内部圧力が外部圧力と比べて所定値以上高くなると、図３に示すように、コイルバネ１７の弾性力に抗して弁体１３が密閉容器１から外部に引き出される方向に変位するため、内側Ｏリング１９が弁座１０から離間し、排気弁１１が開かれる。これにより、排気孔６が外部に開放され、密閉容器１の内部のガス等が、フランジ部１５及び外筒部１６と、ボス部９と、の間の空間を通過して放出される。
【００５３】
図２に示すように、内側Ｏリング１９が弁座１０に接触するとき、外側Ｏリング２０は外筒部１６の内壁面に接触する。一方、図３に示すように、内側Ｏリング１９が弁座１０から離間するとき、外側Ｏリング２０は外筒部１６の内壁面から離間する。このように排気弁１１は２重のシール構造を有しているので、内側Ｏリング１９の周囲にゴミ等の異物が入り込んで排気弁１１の動作の妨げになるのを防止することができる。
【００５４】
図１に示すように、蓋４には、２つの充電端子５と、１つのサーミスタ出力端子１２と、が設けられている。充電端子５及びサーミスタ出力端子１２は、それぞれ蓋４を厚み方向で貫通するように配置されている。
【００５５】
充電端子５は、互いに適宜の間隔をあけて１対で配置され、それぞれが金属等の導電体により形成されている。それぞれの充電端子５には、密閉容器１の内部に配置された二次電池５０の電極が、図略の内部電線を介して電気的に接続されている。この構成で、図示しない充電装置の充電ケーブルに取り付けられたコネクタを充電端子５に接続することで、密閉容器１から二次電池５０を取り出すことなく充電を行うことができる。
【００５６】
サーミスタ出力端子１２は、金属等の導電体により形成されている。サーミスタ出力端子１２は、図２に示すように、蓋４に形成された端子孔７に差し込まれた状態で固定されている。サーミスタ出力端子１２と端子孔７の内壁との間には、シール部材４４が設けられている。これにより、サーミスタ出力端子１２と端子孔７の壁面との間から水が侵入するのを防止することができる。なお、図示しないが、充電端子５においても、サーミスタ出力端子１２と同様の防水構造が設けられている。
【００５７】
サーミスタ出力端子１２には、密閉容器１の内部に配置された図示しないサーミスタ（温度検出部）が、内部電線４５を介して電気的に接続されている。これにより、サーミスタが検出した温度を、電気信号として外部に取り出すことができる。
【００５８】
サーミスタ出力端子１２は、蓋４から一部を外部に突出させるように形成されている。この突出部分には、図１に示すコネクタ５１を着脱可能に構成されている。このコネクタ５１は、上述の充電装置と、電線５２又は信号線を介して接続されている。
【００５９】
充電装置は公知のコンピュータからなる制御部を備えており、この制御部は、二次電池５０に対する充電を制御する。具体的に説明すると、制御部は、サーミスタ出力端子１２から電気信号として出力される前記サーミスタの温度検出結果を監視し、二次電池５０の温度が所定温度より高い場合は、充電を中断又は中止するように制御する。また、制御部は、サーミスタの温度検出結果を示す電気信号が充電装置に入力されない場合も、充電を行わないように制御する。従って、充電端子５のそれぞれに充電ケーブルのコネクタが取り付けられていても、コネクタ５１がサーミスタ出力端子１２に取り付けられない状態では、二次電池５０の充電は行われない。
【００６０】
サーミスタ出力端子１２が蓋４から外部に突出する部分には、蓋４に近い順に、円板部２９と、くびれ部３０と、頭部３１と、が形成されている。
【００６１】
円板部２９は、図２に示すように、その一部が蓋４に埋め込まれるように配置されている。円板部２９の中心には、短い円柱状のくびれ部３０が配置されている。くびれ部３０は、円板部２９と、頭部３１と、を相互に接続するように設けられている。
【００６２】
頭部３１は、先端側が小径となるテーパ状に形成されている。これにより、後述の開放板３５に形成された通過孔３８の差込みが容易になっている。くびれ部３０の外径は、頭部３１の外径（最大径）より小さくなっている。
【００６３】
図１に示すコネクタ５１は、導電体である金属板を垂直に折り曲げて形成されている。この折り曲げられている部分に跨るように、コネクタ５１に装着孔５３が形成されている。
【００６４】
装着孔５３は、取付部５７と、通過部５８と、が互いに垂直に接続された形状となっている。取付部５７及び通過部５８の何れも、板状のコネクタ５１を厚み方向に貫通するように形成されている。
【００６５】
取付部５７は短い直線状の長孔として形成されており、その長手方向一端が通過部５８と接続されている。この長孔の幅は、サーミスタ出力端子１２のくびれ部３０の外径より少し大きいが、頭部３１の外径より小さくなっている。
【００６６】
通過部５８は、概ね矩形状に形成されており、サーミスタ出力端子１２の頭部３１を通過させることができる。
【００６７】
開放板３５は、サーミスタ出力端子１２にコネクタ５１を装着するのに連動して排気弁１１を開放させることができる。開放板３５は細長い板状の部材として構成され、サーミスタ出力端子１２と、排気弁１１と、を接続するように配置されている。
【００６８】
開放板３５は、図４等に示すように、第１アーム３６と、第２アーム３７と、を一体的に形成した構成となっている。第１アーム３６と第２アーム３７とが結合する部分において、開放板３５には、少し折れ曲がった屈曲部分４１が形成されている。屈曲部分４１は、開放板３５の長手方向中途部に位置している。
【００６９】
第１アーム３６において、屈曲部分４１から遠い側の端部には、円形の通過孔３８が貫通状に形成されている。この通過孔３８には、サーミスタ出力端子１２のくびれ部３０及び頭部３１を通過させることができる。
【００７０】
第２アーム３７には、大きな円形の保持孔３９が貫通状に形成されている。この保持孔３９の内径は、排気弁１１が備える弁体１３の外筒部１６の外径より少し大きいが、鍔部２２の外径よりは小さくなっている。保持孔３９には、弁体１３の外筒部１６が差し込まれている。第２アーム３７において保持孔３９の周囲の部分は、図２等に示すように、蓋４と鍔部２２の間に位置している。
【００７１】
第１アーム３６と第２アーム３７の境界に位置する屈曲部分４１の近傍には、長孔４０が貫通状に形成されている。この長孔４０は、その長手方向が開放板３５の長手方向と一致するように配置されている。また、長孔４０の一端部は、保持孔３９と接続されている。
【００７２】
サーミスタ出力端子１２と、排気弁１１と、の間であって、開放板３５の長手方向中途部に対応する位置には、支点部材２４が配置されている。支点部材２４は、蓋４が容器の外部に露出する面に配置され、ネジ止めにより蓋４に固定されている。
【００７３】
支点部材２４が蓋４から外部に突出する部分には、蓋４に近い順に、支点板２５と、柱部２６と、抜止め部２７と、が形成されている。
【００７４】
支点板２５は、円板状に形成され、蓋４に接するように配置されている。支点板２５の中心には、短い円柱状の柱部２６が配置されている。この柱部２６は、開放板３５に形成された前述の長孔４０に差し込まれている。
【００７５】
抜止め部２７は円柱状に形成されており、その外径は、柱部２６の外径より大きくなっている。従って、抜止め部２７は、長孔４０に差し込むことができない。
【００７６】
柱部２６は、支点板２５と、抜止め部２７と、を連結するように配置されている。柱部２６の軸方向の長さは、開放板３５の厚みより少し大きくなっている。従って、柱部２６を開放板３５の長孔４０に差し込み、支点板２５と抜止め部２７との間に開放板３５の屈曲部分４１を配置すると、当該屈曲部分４１の周囲に遊びが形成される。従って、開放板３５は、その屈曲部分４１が支点板２５と接触する部分を中心として、小さな角度範囲で回転することができる。
【００７７】
この構成で、排気弁１１の弁体１３が弁座１０に接触した閉弁状態となっているとき、開放板３５の第１アーム３６の先端は、図２に示すように蓋４から少し離れて位置している。このとき、第１アーム３６に形成されている通過孔３８の内壁は、くびれ部３０又は頭部３１に対面している。即ち、くびれ部３０のうち頭部３１に近い部分（コネクタ５１を装着すべき箇所）は、その少なくとも一部が開放板３５によって取り囲まれており、コネクタ５１を取り付けるのに邪魔になっている。
【００７８】
充電のためにコネクタ５１をサーミスタ出力端子１２に接続する過程で、作業者は、図５の太線矢印に示すように、コネクタ５１を介して開放板３５の第１アーム３６を蓋４に近づく向きに押圧する。これにより、第１アーム３６が円板部２９に近づくように移動するので、くびれ部３０のうち頭部３１に近い部分は当該通過孔３８から抜ける。当該部分を露出させた状態で、図５の白抜き矢印で示すようにコネクタ５１の装着孔５３を当該くびれ部３０に差し込むことで、コネクタ５１をサーミスタ出力端子１２に装着することができる。
【００７９】
上記のように第１アーム３６に外力が加わると、開放板３５は屈曲部分４１を支点として回転するので、第２アーム３７が蓋４から離れる向きに移動する。弁体１３は、鍔部２２が第２アーム３７によって押される結果、コイルバネ１７の弾性力に抗して、蓋４から引き出される向きに変位する。この結果、密閉容器１の内部圧力が高いか否かにかかわらず、排気弁１１が開弁する。
【００８０】
上述のとおり、充電装置の制御部は、コネクタ５１がサーミスタ出力端子１２に接続されていないと、充電を行わない。従って、繰り返して行われる必要がある充電の機会を利用して排気弁１１が強制的に開かれることになるので、排気弁１１の閉弁状態が長期間継続することを防止することができる。この結果、弁体１３等に塗布されるグリスの劣化とシール部材の劣化による粘着及び固着等を抑制し、排気弁１１を長期間安定して適切に動作させることができる。
【００８１】
また、上記のように充電時には排気弁１１が強制的に開かれることが確保されるので、充電時の通気性が良好であり、二次電池５０が高温になりにくい。言い換えれば、充電時における二次電池５０の温度上昇を抑制できるので、充電装置側で充電を中断又は中止することが少なくなる。この結果、充電効率の低下を防止することができる。
【００８２】
本実施形態において、開放板３５が支点部材２４によって支持される箇所（言い換えれば、屈曲部分４１の位置）は、排気弁１１とサーミスタ出力端子１２とを結ぶ仮想線分を２等分する位置よりも、排気弁１１に近い。従って、コネクタ５１を介して第１アーム３６を押圧する力が小さくても、梃子の原理により、コイルバネ１７の弾性力に抗して排気弁１１を容易に開弁させることができる。
【００８３】
図５に示すようにサーミスタ出力端子１２にコネクタ５１が取り付けられた状態では、弁体１３を閉弁方向に付勢するコイルバネ１７の弾性力が、弁体１３を介して開放板３５に作用する。この結果、開放板３５の第１アーム３６は、コネクタ５１を頭部３１に向けて押圧する。これにより、コネクタ５１がサーミスタ出力端子１２に装着された状態を安定して保持することができる。
【００８４】
充電が完了し、作業者がサーミスタ出力端子１２からコネクタ５１を取り外すと、弁体１３はコイルバネ１７の弾性力によって元の位置に戻るので、排気弁１１が閉弁する。このように、コネクタ５１の取外しに連動して閉弁が自動的に行われるので、充電完了時に排気弁１１を閉め忘れて密閉容器１を水中に投入することによる漏水等を防止することができる。
【００８５】
開放板３５は、屈曲部分４１を中心として回転する細長い部材として構成されている。これにより、コネクタ５１のサーミスタ出力端子１２への取付け／取外しに対して排気弁１１の開閉動作を機械的に連動させる簡素な構成を実現することができる。また、開放板３５の長手方向一端にはサーミスタ出力端子１２が配置され、長手方向他端には排気弁１１が配置されている。従って、サーミスタ出力端子１２と排気弁１１とが互いに離れた位置にあっても、上記のように簡素な構成で、サーミスタ出力端子１２へのコネクタ５１の取付けと、排気弁１１の開弁と、を連動させることができる。
【００８６】
本実施形態の密閉容器１は、例えば、図６に示すように、巻き網漁に使用する網深計６１の電池収容容器として用いることができる。網深計６１は、網６２に取り付けられて当該網６２の深度や沈降速度等を計測する。網深計６１は、水圧を検出する図略の圧力センサによって、網深計６１の深度を計測する。また、網深計６１は、海底６３に向けて超音波を送信し、受信した反射波に基づいて、海底６３との間の距離を計測する。網深計６１は、得られた計測結果を、船舶６４に取り付けられた図略の受信装置へ超音波により送信する。
【００８７】
なお、開放板３５による強制開弁機構は、収容部材３に対する蓋４の取付け／取外しを容易にするために用いることもできる。即ち、蓋４にはシール部材４３が備えられているために、収容部材３に対して蓋４を取り付けるために押し込む過程で密閉状態の空気が圧縮されて圧力が上昇し、蓋４が押し返されて取付けが困難になることがある。また、収容部材３から蓋４を取り外すために引き出す過程で内部の空気が負圧となり、蓋４が引き戻されて取外しが困難になることがある。この点、本実施形態の密閉容器１では、コネクタ５１をサーミスタ出力端子１２に装着して排気弁１１を強制的に開放した状態で、蓋４を取り付けることができる。従って、蓋４の取付け／取外しを簡単に行うことができ、メンテナンス性が良好である。蓋４の取付け／取外しの際は、コネクタ５１と同様の形状を有し、電線５２が繋がっていない特別な部材（開弁用治具）を、コネクタ５１に代えてサーミスタ出力端子１２に装着しても良い。
【００８８】
以上に説明したように、本実施形態の密閉容器１は、二次電池５０を収容可能に構成されている。この密閉容器１は、密閉容器本体２と、サーミスタ出力端子１２と、開放板３５と、を備える。密閉容器本体２には、排気弁１１が取り付けられ、二次電池５０が収容される。サーミスタ出力端子１２は、二次電池５０の充電に用いられるコネクタ５１を着脱可能である。開放板３５は、サーミスタ出力端子１２にコネクタ５１が取り付けられるのに連動して排気弁１１を開弁させる。
【００８９】
これにより、コネクタ５１をサーミスタ出力端子１２に取り付けて排気弁１１を開弁しないと、二次電池５０の充電が行われない。また、充電後に密閉容器１を水中に投入するときは、排気弁１１は閉じることになる。従って、二次電池５０が充電される毎に排気弁１１が開閉動作を行うことになるので、排気弁１１の固着等による動作不良を未然に防止することができる。また、二次電池５０の充電時に排気弁１１を開弁させることによって、密閉容器１の内部の熱を、排気弁１１を通じて外部へ容易に逃がすことができる。従って、二次電池５０の充電時の温度上昇を抑制することができる。
【００９０】
以上に本発明の好適な実施の形態を説明したが、上記の構成は例えば以下のように変更することができる。
【００９１】
密閉容器１に収容される二次電池５０は、網深計６１に限らず、例えば、魚群情報を取得可能なソナー、水中センサや水中発信機等に電力を供給するために用いられても良い。
【００９２】
サーミスタ出力端子１２に代えて、情報の入力又は出力のための適宜の信号端子にコネクタ５１を取り付けるのに連動して、排気弁１１が開弁するように構成しても良い。
【００９３】
充電ケーブルに固定されたコネクタ５１（接続部材）を充電端子５に取り付けるのに連動して、排気弁１１が開弁するように構成しても良い。
【００９４】
コネクタ５１は、開放板３５の第１アーム３６を押圧しながらサーミスタ出力端子１２に取り付けることが可能である限り、様々な形状に変更することができる。例えば、コネクタ５１は、先端が分岐されており、その間にくびれ部３０を挟むことが可能な形状としてもよい。
【００９５】
開放板３５の形状は適宜変更することができ、例えば、屈曲部分４１を有しないストレートな形状とすることもできる。この場合、支点板２５に小さい突起を設けて、この突起が開放板に接触する部分を支点として開放板を回転させることができる。また、開放板３５に代えて、例えば棒状の部材を用いても良い。
【００９６】
排気弁１１の閉弁状態で、開放板３５の第１アーム３６の通過孔３８がサーミスタ出力端子１２から抜けていても、第１アーム３６が頭部３１の近傍に位置していれば差し支えない。即ち、排気弁１１の閉弁状態において、開放板３５が、サーミスタ出力端子１２に対するコネクタ５１の取付けに対して、何らかの形で干渉していれば良い。
【００９７】
密閉容器１は、水中以外の環境で用いられても良い。
【符号の説明】
【００９８】
１  密閉容器
２  密閉容器本体
１１  排気弁
１２  サーミスタ出力端子（接続端子）
３０  くびれ部
３５  開放板（連動部材）
５０  二次電池
５１  コネクタ（接続部材）
【図１】
2019102366.tif 000003
【図２】
2019102366.tif 000004
【図３】
2019102366.tif 000005
【図４】
2019102366.tif 000006
【図５】
2019102366.tif 000007
【図６】
2019102366.tif 000008